(57)【特許請求の範囲】
【請求項１】
ショッピングカートであってその後方から他のショッピングカートの一部をその前部から受け入れ可能であるショッピングカートであって、
座及び該座に角度をなして連なる背もたれを有する幼児用シートが配置された台車枠並びに該台車枠に結合された手押し用のハンドルを備える台車と、該台車に支持されたかご受けとを含み、
前記台車枠は、前後方向へ水平に伸びると共に全体に後方へ向けて末広がりに伸びるコ字状の前端部、及び該前端部の後部から上方へ向けて傾斜された２つの後端部を有する第１のフレーム部材と、該第１のフレーム部材の両後端部に連なりかつ全体に上方へ伸びる一対の傾斜部、該傾斜部の上端に連なる一対の垂直部、及び該垂直部の上端から後方へ向けて斜め上方へ伸びるコ字形の端部を有する第２のフレーム部材とを備え、
前記幼児用シートは、前記他のショッピングカートの受け入れ時における該他のショッピングカートからの押圧力を受けて揺動可能に前記第２のフレーム部材に前記背もたれの頂部において支持されていると共に、前記座が前方となる方向への揺動は可能であるが、前記座が後方となる方向への揺動は不能に、下部において前記第１のフレーム部材に結合されている、ショッピングカート。
【請求項２】
前記かご受けは、前記ハンドルの下方に配置されかつ前記台車枠に揺動可能に支持され、前記他のショッピングカートの受け入れ時における該他のショッピングカートからの押圧力を受けて揺動する、請求項１に記載のショッピングカート。
【請求項３】
前記かご受けは、前記他のショッピングカートからの押圧力の作用を受ける箇所に設けられたローラを有する、請求項２に記載のショッピングカート。
【請求項４】
前記かご受けは、前記ハンドルの下方に互いに間隔をおいて配置されかつ前記台車枠に支持されその後方へ伸びる少なくとも１対のアームからなる、請求項１に記載のショッピングカート。
【請求項５】
さらに、前記ハンドルに支持された他のかご受けを含む、請求項１から４のいずれかに記載のショッピングカート。
【請求項６】
前記台車枠は、前記第１のフレーム部材の上方へ突出しかつ前記フレーム部材を横断する方向へ延びて、両端においてフレーム部材に固定されたバー部材を備え、前記幼児用シートは前記座の下面に解放しかつその幅方向へ延びる凹溝を備え、前記バーは前記凹溝内をこれに沿って延びている、請求項１から５のいずれかに記載のショッピングカート。
【発明の詳細な説明】
【０００１】
【発明の属する技術分野】
本発明は、スーパーマーケットのような店舗において購買客の利用に供されるショッピングカートに関する。
【０００２】
【従来の技術】
ショッピングカートは、その多数台の整理や保管の容易性、その整理や保管のためのスペースの節約等の理由から、ネスティングすることを可能とされている。すなわち、１のショッピングカートにその後方から他のショッピングカートの一部をその前部から受け入れ可能なものとされている。
【０００３】
ところで、ショッピングカートには、購買客に同伴した幼児を載せるためのためのシートが設けられているものがある。
【０００４】
幼児用シートは座および背もたれを有し、ショッピングカートの台車を構成する台車枠上に配置されている。従来のこの種のショッピングカートにあっては、幼児用シートがその前端下部すなわちその座の前端下部において台車枠に揺動可能可能に支持されている（実用新案登録第３０６８８２２号公報）。
【０００５】
これによれば、他のショッピングカートの一部がその前方のショッピングカートに受け入れられるとき、幼児用シートはその背もたれにおいて他のショッピングカートからの押圧力を受けて前方側へ揺動し、前倒しの状態にされる。その結果、他のショッピングカート一部が幼児用シートの前倒しによって生じた空間に受け入れられる。
【０００６】
しかし、これには、次のような問題がある。先ず、ショッピングカートにはその取り扱い上、前後方向長さ寸法に制限があり、幼児用シートの座の前後方向長さも制限を受ける。このため、幼児用シートに対する押圧力の作用点とその揺動軸との間に大きい距離を確保することができず、ネスティングの際に他のショッピングカートを大きい力で押す必要があり、ショッピングカートの整理に大きい労力を要する。
【０００７】
また、幼児用シートの背もたれは、該シートに着座した幼児の頭部保護という安全上の観点から、着席者の頭部またはその上方まで伸びる比較的長い長さ寸法を有することが望ましい。しかし、背もたれを長さ寸法の大きいものに設定すると、背もたれの重心移動のためにシートが過剰に揺動し、ネスティングの解消時に自動復帰しない可能性がある。しかも、揺動後のシートを元の位置に戻すには比較的大きい力を要する。
【０００８】
さらに、他方のショッピングカートから幼児用シートの背もたれに加えられる水平力によって幼児用シートが容易に揺動するように、ショッピングカートの前部とこれが突き当たる前記幼児用シートの背もたれ部を特殊な形状としなければならず、これがためショッピングカートのデザインの自由度が著しく制限される。
【０００９】
さらに、幼児用シートはその揺動運動を可能とするためにその下部において台車枠に接続されており、その接続部がショッピングカート内への他のショッピングカートのさらなる進入を阻害し、その受入量（ネスティング量）の増大を阻害する。
【００１０】
【発明が解決しようとする課題】
したがって、本発明の目的は、ネスティング作業に要する力を軽減するショッピングカートを提供することにある。また、本発明の他の目的は、安全性確保のために必要な長い背もたれを有する幼児用シートを備えるショッピングカートを提供することにある。さらに、本発明の目的は、デザインの自由度の制限が少ないショッピングカートを提供することにある。さらに、本発明の目的は、ネスティング量の増大を図るショッピングカートを提供することにある。
【００１１】
【課題を解決するための手段】
本発明に係るショッピングカートは、その後方から他のショッピングカートの一部をその前部から受け入れ可能であり、座及び該座に角度をなして連なる背もたれを有する幼児用シートが配置された台車枠並びに該台車枠に結合された手押し用のハンドルを備える台車と、該台車に支持されたかご受けとを含む。前記台車枠は、前後方向へ水平に伸びると共に全体に後方へ向けて末広がりに伸びるコ字状の前端部、及び該前端部の後部から上方へ向けて傾斜された２つの後端部を有する第１のフレーム部材と、該第１のフレーム部材の両後端部に連なりかつ全体に上方へ伸びる一対の傾斜部、該傾斜部の上端に連なる一対の垂直部、及び該垂直部の上端から後方へ向けて斜め上方へ伸びるコ字形の端部を有する第２のフレーム部材とを備える。前記幼児用シートは、前記他のショッピングカートの受け入れ時における該他のショッピングカートからの押圧力を受けて揺動可能に前記第２のフレーム部材に前記背もたれの頂部において支持されていると共に、前記座が前方となる方向への揺動は可能であるが、前記座が後方となる方向への揺動は不能に、下部において前記第１のフレーム部材に結合されている。
【００１２】
前記かご受けは前記ハンドルの下方に配置されかつ前記台車枠に揺動可能に支持され、前記他のショッピングカートの受け入れ時における該他のショッピングカートからの押圧力を受けて揺動するもの、あるいは、前記ハンドルの下方にあって互いに間隔をおいて配置されかつ前記台車枠に支持されその後方へ伸びる少なくとも１対のアームからなるものとすることができる。
【００１３】
揺動タイプの前記かご受けについては、さらに、前記他のショッピングカートからの押圧力の作用を受ける箇所にローラを配置することができる。また、前記ハンドルに支持された他のかご受けを配置することができる。
【００１４】
【発明の作用および効果】
本発明によれば、ショッピングカートの台車枠に配置された幼児用シートはその背もたれの頂部において揺動可能に支持されていることから、前記背もたれの頂部と前記押圧力の作用点との間に比較的大きい距離を確保することができる。このため、前記シートがその背もたれに他のショッピングカートからの押圧力を受けて揺動するときの該押圧力は比較的小さいもので足りる。したがって、ネスティングによる多数のショッピングカートの整理作業を比較的少ない労力で行うことができる。したがって、また、従来におけるショッピングカートの前部およびシートの背もたれの形状の制約およびこれに伴うショッピングカートのデザイン上の制約を少なくすることができる。
【００１５】
さらに、前記シートの背もたれの長さまたは高さ寸法を比較的大きいものに設定することができ、しかも、前記シートの背もたれは上下方向へ伸びるものであり、ショッピングカートの前後方向長さの制約を受けないことから、前記シートに着座する幼児の頭部を保護するに十分な安全性を確保することができる。
【００１６】
さらに、前記シートはその背もたれの頂部において吊持するため、前記台車枠上における前記シートの支持を不要とすることができる。これにより、ショッピングカートのネスティング量をより一層増大することができる。
【００１７】
また、ショッピングカートの通常の使用態様においては、前記シートが１８０度またはこれに近い大きい角度を回転することはないことから、ショッピングカートを使用すべくそのネスティング状態を解除するとき、ショッピングカートのシートをその自重によって反対方向へ揺動させ、元の位置へ自動復帰させることができる。
【００１８】
前記かご受けについて、これを前記ハンドルの下方に配置しかつ前記台車枠に揺動可能に支持し、前記シートと同様に前記他のショッピングカートの受け入れ時における該他のショッピングカートからの押圧力を受けて揺動するようにすれば、前記ネスティングを阻害しないかご受けの設置が可能である。
【００１９】
このかご受けの前記他のショッピングカートからの押圧力の作用を受ける箇所にさらにローラを設ければ、前記他のショッピングカートからの押圧力を受けたときの前記かご受けの揺動運動をより円滑にすることができる。
【００２０】
前記揺動タイプのかご受けだけでなく、前記ハンドルの下方に互いに間隔をおいて配置されかつ前記台車枠に支持されその後方へ伸びる少なくとも１対のアームからなる非揺動タイプのかご受けの設置も可能である。
【００２１】
さらに、前記ハンドルに支持された他のかご受けを設置することができる。
【００２２】
【発明の実施の形態】
図１〜図４を参照すると、本発明が適用されたショッピングカート１０の一例が示されている。
【００２３】
ショッピングカート１０は先細の前部１２と末広がりの後部１４とを有する。
【００２４】
ショッピングカート１０は、その後方から、これと全く同一の他のショッピングカート１６（図５参照）の一部を該他のショッピングカートの前部１２から受け入れることができる。
【００２５】
すなわち、この受け入れ状態は、他のショッピングカート１６の前部１２をその前方にあるショッピングカート１０の後部１４内に押し入れることにより生じ、この受け入れすなわちネスティングにより多数のショッピングカートを効率よく整理および保管することができる。
【００２６】
ショッピングカート１０は、台車１８と、該台車に支持されたかご受け２０とを備える。図示の例では、さらに、他のかご受け２２が設けられている。かご受け２０，２２には、それぞれ、商品を一時的に収容するためのかご２３（図３）が載せられる。かご２３は、スーパーマーケットのような店舗において一般的に使用されるものであって、矩形状の開放上端縁を有する。
【００２７】
図２に示すように、台車１８は台車枠２４と、ショッピングカート１０のための手押し用のハンドル２６とを備える。図示の例では、ショッピングカート１０に設けられた後記幼児用シートに座る幼児のため、台車１８の周囲が自動車のボディの前部に似せたカバー２８で覆われている。
【００２８】
複数のキャスタ３０で支持された台車枠２４は例えば鋼製のパイプや棒を折り曲げて形成された２つのフレーム部材３２，３４からなる。
【００２９】
一方のフレーム部材３２および他方のフレーム部材３４は、それぞれ、ショッピングカートの前部１２および後部１４を規定する。
【００３０】
前後方向へ水平に伸びる一方のフレーム部材３２は全体に後方へ向けて末広がりに伸び、その２つの後端部が上方へ向けて傾斜している。また、他方のフレーム部材３４は一方のフレーム部材３２の両後端部に連なりかつ全体に上方へ伸びる２つの脚部すなわち一対のキャスター３０に支持された一対の傾斜部３４ａおよびこれらの上端に連なる一対の垂直部３４ｂと、該垂直部の上端から後方へ向けて斜め上方へ伸びるコ字形の端部を有する。前記コ字形の端部がハンドル２６を規定する。
【００３１】
台車枠１８には幼児用のシート３６が配置されている。シート３６は、座３８およびこれに鈍角をなして連なる背もたれ４０を有する。シート３６は、例えばプラスチックの成形体からなる。
【００３２】
シート３６は、その背もたれ４０の頂部４２において、台車１８に揺動可能に支持されている。より詳細には、ハンドル２６にその前部において支持されている。
【００３３】
シート３６の支持のため、ハンドル２６の前部にその横断方向または幅方向（ショッピングカート１０の幅方向）へ伸びるバー４４が固定されている。また、シートの背もたれ４０の背面にはその幅方向へ伸びる、ハット形の横断面形状を有する細長い取付金具４６が固定され、該取付金具をバー４４が貫通している。
【００３４】
これにより、シート３６はショッピングカート１０においてその前方に向けられかつフレーム部材３２の後部およびフレーム部材の前部がそれぞれ規定する空間をバー４４の周りに揺動可能とされている。
【００３５】
シート３６は、さらに、その座３８の下面においても、クランク形のバー４８を介して、フレーム部材３２上に支持されている。クランク形のバー４８はフレーム部材３２の上方へ突出した状態で配置されかつその両端においてフレーム部材３２に固定され、フレーム部材３２を横断する方向へ伸びている。
【００３６】
他方、シート３６にはその座３８の下面に開放しかつその幅方向へ伸びる凹溝５０が設けられている。クランク形のバー４８は、その一部において、凹溝５０内をこれに沿って伸びている。これにより、シート３６が前方側にのみ揺動し後方側へは揺動しないように、また、その座３８が水平となるように維持される。
【００３７】
これによれば、ネスティングのためにハンドルを押して他のショッピングカート１６をその前方にあるショッピングカート１０の後部空間に押し入れるとき、ショッピングカート１０の実質的な前部１２を規定するカバー２８の前端上部がシート３６の背もたれ４０の背面に突き当たりこれに押圧力を及ぼす。押圧力を受けたシート３６はバー４４の周りに前方側へ揺動し、その座３８が、クランク形バー４８の上方位置から前方のさらに上方の位置へ移動する（図５参照）。
【００３８】
これにより、他のショッピングカート１６の前部を含む一部がショッピングカート１０内をさらに前方へ進み、ショッピングカート１０内に受け入れられる。その結果、両ショッピングカート１０，１６が部分的に重なり合う。
【００３９】
ただし、図示の例では、シート３６を支えるためのクランク形のバー４８が設けられているため、ショッピングカート１６はその前部１２を実質的に規定するカバー２８の前端がショッピングカート１０のバー４４に当たるまでその進行を許容される。
【００４０】
しかし、クランク形バー４８はその配置を省略することができる。この場合にあっては、バー４４が担っていた機能の１つであるシート３６の揺動制限は、他方のフレーム３４に担わせることができる（図６参照）。また、バー４４によるシート３６の支持機能については、これを、シート３６を吊持する上方のバー４４に転嫁することができる。
【００４１】
これによれば、他のショッピングカート１６をショッピングカート１０内のさらに奥へ進めることができ、これにより、ショッピングカート１０内へのショッピングカート１６の受入量をさらに増大することができる。ただし、図示の例では、カバー２８の前部内方に自動車のハンドルを模したおもちゃのハンドル５２が取り付けられており、これがシート３６のより大きい角度の揺動運動の妨げとなる。この要因を取り除くため、カバー２８の前端の形状を変更し、また、ハンドル５２の取付位置を変更することは任意である。
【００４２】
吊持状態にあるシート３６に揺動運動を生じさせるのに必要な力は、従来行われていたシートの前倒し揺動運動に必要な力と比べて小さいもので足りる。また、シート３６は他のショッピングカート１６からの水平力を受けて容易に揺動するから、従来行われていたシートの背もたれの一部およびショッピングカートの前部を特殊な形状にする必要がない。このため、シート３６およびショッピングカート１０に施し得るデザインの自由度は高い。
【００４３】
図示の例では、シート３６の背もたれ４０に対するショッピングカートの前部１２の当接点が比較的高い位置にあるが、これをより低い位置に設定することが可能である。これにより、前記当接点と、揺動軸を規定するバー４４との距離すなわち腕の長さを増大し、シート３６に揺動運動を生じさせる必要な力をより小さいものとすることができる。より小さい力でシート３６を揺動させるようにすることは、ネスティング作業に要する労力軽減につながる。
【００４４】
また、シート３６は、通常、その背もたれ４０が垂直状態に至る程まで揺動されることはないことから、ネスティングを解除するとき、シート３６はその自重によって反対方向へ揺動し、元の位置に自動的に復帰する。
【００４５】
さらに、シート３６の背もたれ４０の長さ寸法または高さ寸法は、着座した幼児の頭部またはその上方位置まで伸びる大きさとするとすることができる。長さ寸法の大きい背もたれ４０は、シート３６に着座した幼児の頭部を保護する機能を発揮するだけでなく、前記腕の長さの増大に寄与する。
【００４６】
かご２３を載せるためのかご受け２０は、ハンドル２６の下方に配置されかつ台車枠２４（より詳細には、他方のフレーム部材３４）に揺動可能に支持されている。
【００４７】
図２に示すように、かご受け２０は、全体にコ字形を呈するアーム５４と、アーム５４に固定された支持部材５６とを備える。
【００４８】
コ字形アーム５４はフレーム部材３４における両垂直部３４ｂの後方に配置されかつその両端部において両垂直部３４ｂに枢着されている。
【００４９】
フレーム部材３４に対するコ字形アーム５４の枢着のため、フレーム部材３４の各垂直部３４ｂに板状のブラケット５８が取り付けられており、また、ブラケット５８を貫通しかつフレーム３４の幅方向へ伸びるボルト６０が準備される。他方、コ字形アーム５４の各端部には、ボルト穴６２が設けられたプレート６４が取り付けられている。
【００５０】
コ字形アーム５４の両端部は、互いに相対する両垂直部３４ｂの外側に、アーム５４の両プレート６４がそれぞれフレームの両ブラケット５８するように配置され、ブラケット５８とプレートのボルト穴６２とを貫通するボルト６０にナット６６が螺合されている。
【００５１】
これにより、フレーム部材３４の垂直部の後方に位置するコ字形アーム５４は、ほぼ水平方向へ伸びる両ボルト６０の周りに揺動可能である。
【００５２】
コ字形アーム５４は、その両端部がフレーム部材の両垂直部３４ｂの外側に配置されているため、フレーム部材の傾斜部３４ａ、図示の例では、傾斜部３４ａの外側に位置するカバー２８の一部に当たり、それ以上の揺動を阻止されている。この状態において、アーム５４はわずかに下方へ向けて傾斜している。
【００５３】
アーム５４のこの下方傾斜の状態において、支持部材５６はほぼ水平状態にあり、これに載置されるかご２３をその底部において支持する。
【００５４】
図示の支持部材５６は鋼製の線材を全体にハット形に折り曲げてなり、コ字形アームの後端部５４ａ上にこれを横切って伸びるように載置された本体５６ａと、アームの両側部５４ｂに固定され該両側部をこれらの下方において横切る両端部５６ｂとを有する。
【００５５】
支持部材５６はこれにかご２３を安定に載置し得る大きさを有する。支持部材５６上に載置されたかご２３は、アームの両側部５４ｂと、シート３６と、支持部材の本体５６ａにこれを折り曲げることにより形成された立ち上がり部５６ｃとにより水平方向への移動を規制される。
【００５６】
コ字形アーム５４および支持部材５６からなるかご受け２０は、ネスティングのためにショッピングカート１０内に押し込まれる他のショッピングカート１６の前部からの衝突力を受けて支持部材５６がその位置を前方上方に変えるように揺動する。このとき、他のショッピングカート１６はその前部を含む一部が、支持部材５６とアームの両側部５４ｂとが規定する空間を経て、ショッピングカート１０内を前方へ向けて移動することができる（図５参照）。
【００５７】
他のショッピングカート１６の押圧力を受けたかご受け２０がより円滑に揺動し得るように、好ましくは、他のショッピングカート１６の前部が当たることとなるかご受け２０の支持部材の立ち上がり部５６ｃにローラ６８を配置する。
【００５８】
ローラ６８は、その両端において、立ち上がり部５６ｃの下部に取り付けられた一対のブラケット７０に回転可能に支承されている。ローラ６８はこれに他のショッピングカート１６の前部が当たるとき、かご受け２０の揺動軸すなわち両ボルト６０に平行な軸線の周りに回転し、他のショッピングカート１６の前部が立ち上がり部５６ｃに直接に当たる場合における両者間の摩擦を軽減すると共に立ち上がり部５６ｃ下への他のショッピングカート１６の前部の潜り込みを容易にする。
【００５９】
他のかご受け２２は、ハンドル２６に支持されている。かご受け２２は、鋼製の線材を折り曲げてなり、かご２３をその底部において支持可能であるように全体にハット形に折り曲げられた本体２２ａと、該本体の両端から上方へ伸びる両端部２２ｂとを有する。かご受けの本体２２ａはハンドル２６が取り囲む空間の下方に配置され、また、その両端部２２ｂがそれぞれハンドル２６の両側部に固定されている。
【００６０】
ただし、このかご受け２２は、下方のかご受け２０の揺動運動の障害とならない高さ位置に配置される。
【００６１】
次に、図６から図９を参照すると、非揺動タイプのかご受けを有する本発明に係るショッピングカート８０が示されている。
【００６２】
このショッピングカート８０も、また、ショッピングカート１０におけると同様、複数のキャスタ３０により移動可能に支持された台車を有し、また、該台車を構成する台車枠および手押し用のハンドルを有する。
【００６３】
前記台車、台車枠およびハンドルについては、これらが、図１に示す台車１８、台車枠２４およびハンドル２６とは形状を異にするがこれらと同様の機能を有するものであるため、便宜上、図１において用いた参照符号と同じ参照符号を付し、また、簡単な説明にとめる。
【００６４】
前記台車に配置された幼児用のシートも、図１に示す幼児用シート３６と実質的に同一であるため、同じ符号を付し、その説明は簡単に行うにとめる。
【００６５】
図６から図９に示すショッピングカート８０の台車枠１８も、また、その前部から後部へ向けて末広がりに伸びるフレーム部材３２と、該フレーム部材の後端部から上方へ伸びる他のフレーム部材３４とを有する。他のフレーム部材３４は、水平に折り曲げられ後方へ伸びるコ字形の上端部を有し、該上端部がハンドル２６を規定する。
【００６６】
ただし、この例では、一方のフレーム部材３２の後端部が水平に伸び、また、他のフレーム部材３４がほぼ垂直に伸びる点において、図１のフレーム部材３２，３４と形状を異にする。また、クランク形のバー４８（図１）を有しない点においても、図１に示すフレーム部材３２と異なる。さらに、ハンドル２６にはかご受け２２（図１）は設けられていない。
【００６７】
シート３６は、その背もたれ４０の各側部にサイドレスト８２（図２）を有しないことおよびその座３８の下面に凹溝５０を有しない点において、図１に示すシート３６と異なる。
【００６８】
このため、シート３６は、その頂部４２においてのみ、他方のフレーム部材３４に揺動可能に支持されている。より詳細には、ハンドル２６の下方位置において他のフレーム部材３４に固定されこれを横切る方向へ水平に伸びるバー４４に吊持されている。
【００６９】
バー４４は、シート３６の背面頂部に固定された取付金具４６を貫通しており、シート３６はバー４４の周りに揺動可能である。
【００７０】
この例では、幼児がシート３６に着座したとき、シート３６が後方側へ揺動しないように、他方のフレーム部材３４に互いに相対する一対のコ字形のストッパ８２が設けられ、他方、シート３６の背もたれ４０の両側部に両ストッパ８２と相対する一対の係止部材８４が取り付けられている。両ストッパ８２に対する両係止部材８４の当接により、シート３６の前記後方側への揺動が阻止されている。
【００７１】
図８および図９に示すように、ショッピングカート８０内にその後方から、該ショッピングカートと同一の他のショッピングカート８６の一部がその前部１２から押し入れられるとき、ショッピングカート８０のシート３６が、他のショッピングカート８６の前部１２の押圧力を受けて前方側に揺動する。
【００７２】
この例では、図１の例で示したシートの座３８を支持するためのクランク形バー４８が配置されていないため、他のショッピングカート８６の前部１２は、ショッピングカート８０における揺動前のシート３６の前端位置よりもさらに前方まで進む。これにより、より長い受入量（ネスティング量）を確保することができる。
【００７３】
図示の例では、上下２つのかご受け８８が設けられている。両かご受け８８はハンドル２６の下方において、より詳細にはバー４４の下方位置において、互いに間隔をおいて配置されている。かご受け８８の数量は１としてもよい。
【００７４】
各かご受け８８は一対のアーム９０からなる。両アーム９０は、それぞれ、台車枠２４の他方のフレーム部材３４に支持されその後方へ伸びている。より詳細には、各アーム９０はその端部において、互いに相対するフレーム部材３４の両垂直部３４ｃにその外側の面において固定されている。
【００７５】
このことから、各対のアーム９０の相互間隔はショッピングカート８０の幅寸法より大きく、このため、ショッピングカート８０への後方のショッピングカート８６の受け入れが阻害されない。
【００７６】
前記かごは、各かご受けの各対のアーム９０上に、それぞれ、前記かごの互いに相対する一対の上端縁を載せて引掛けることにより、支持される。
【００７７】
いうまでもなく、前記した各ショッピングカートのネスティングは、前記かごを排除した状態で行われる。
【図面の簡単な説明】
【図１】本発明に係るショッピングカートの一例を示す斜視図である。
【図２】ショッピングカートの分解斜視図である。
【図３】ショッピングカートの縦断面図である。
【図４】ショッピングカートの平面図である。
【図５】ネスティングされた２台のショッピングカートの縦断面図である。
【図６】他の例のショッピングカートの斜視図である。
【図７】図６に示すショッピングカートの分解斜視図である。
【図８】ネスティングされた図６に示す２台のショッピングカートの側面図である。
【図９】ネスティングされた図６に示す２台のショッピングカートの平面図である。
【符号の説明】
１０，１６，８０，８６  ショッピングカート
１８  台車
２０，２２，８８  かご受け
２４  台車枠
２６  ハンドル
３６，４０  幼児用シートおよびその背もたれ
９０  アーム
【図１】
0004610093.tif 000002
【図２】
0004610093.tif 000003
【図３】
0004610093.tif 000004
【図４】
0004610093.tif 000005
【図５】
0004610093.tif 000006
【図６】
0004610093.tif 000007
【図７】
0004610093.tif 000008
【図８】
0004610093.tif 000009
【図９】
0004610093.tif 000010